【手続補正書】
【提出日】平成18年7月13日(2006.7.13)
【手続補正１】
【補正対象書類名】明細書
【補正対象項目名】特許請求の範囲
【補正方法】変更
【補正の内容】
【特許請求の範囲】
【請求項１】  キャリア周波数を有する選択された信号を含め、信号を受信する受信ユニットと、
キャリア周波数とは異なる周波数を有する２つよりも多い多相クロック信号であって、該周波数よりも高い第２周波数を有する複数のローカルオシレータ信号を生成するよう結合される多相クロック信号を生成する単一の位相ロックループ（ＰＬＬ）と、
キャリア周波数によって低減された周波数を有する前記選択信号を出力するように、受信された前記選択信号を２つよりも多い多相クロック信号と合成する復調ミキサであって、ローカルオシレータ信号のそれぞれがＩキャリア周波数信号およびＱキャリア周波数信号の１つを復調する復調ミキサと、
を有する通信システム。
【請求項２】  前記異なる周波数はキャリア周波数よりも小さく、前記キャリア周波数は約１ＧＨｚよりも大きく、さらに前記位相ロックループはクロック生成器を有する請求項１記載の通信システム。
【請求項３】  前記受信ユニットはトランシーバであり、さらに前記通信システムは、
送信データを変調するように、前記ローカルオシレータ信号として機能する、多相クロック信号を送信データと合成する変調ミキサと、
前記変調された送信データを増幅し、送信用の前記トランシーバへ前記データを転送するパワー増幅器とを有する請求項１記載の通信システム。
【請求項４】  前記通信システムはさらに、
前記受信ユニットと接続され、受信された前記選択信号をフィルタするＲＦフィルタと、
前記ＲＦフィルタと接続され、フィルタされた前記選択信号をゲインをもって増幅する低ノイズ増幅器と、
前記復調ミキサと接続され、キャリア周波数によって低減された周波数を有する前記選択信号をフィルタするローパスフィルタと、
前記復調ミキサからの前記選択信号をデジタル信号へ変換するＡ／Ｄ変換器と、
前記デジタル信号を受信する離散時間信号処理ユニットを有する請求項１記載の通信システム。
【請求項５】  前記通信システムはＲＦ受信部であり、
前記選択信号はＲＦ信号であり、
前記多相クロック信号は（２×［キャリア周波数］／Ｎ）（Ｎは２より大きい正の整数）の周波数を有し、
前記ＲＦ通信システムは単一のＣＭＯＳチップ上に形成される請求項１記載の通信システム。
【請求項６】  ＲＦ信号を送受信するトランシーバと、
キャリア周波数よりも小さい実質的に同一の周波数（２×ｆ０／Ｎ）を有する複数の２Ｎ相クロック信号（Ｎは位相数として正の整数、ｆ０はキャリア周波数）を生成する単一の位相ロックループと、
複数の２入力ミキサを有するとともに、キャリア周波数によって低減された周波数を有するＲＦ信号を出力するように、前記トランシーバからのＲＦ信号を前記位相ロックループからの複数の２Ｎ相クロック信号と合成する復調ミキシングユニットであって、前記複数の２Ｎ相クロック信号はＩキャリア周波数信号およびＱキャリア周波数信号の少なくとも１つを復調するよう結合される復調ミキシングユニットと、
前記復調ミキシングユニットからのＲＦ信号をデジタル信号へ変換するＡ／Ｄ変換ユニットとを有する単一チップＲＦ通信システム。
【請求項７】  前記復調ミキシングユニットは、前記２入力ミキサの半分を有する第１ミキサアレイと、前記２入力ミキサの他の半分を有する第２ミキサアレイとを有し、
前記第１および第２ミキサアレイはそれぞれ対応する２Ｎ相クロック信号のＮ相クロック信号をＲＦ信号とともに入力する請求項６記載の通信システム。
【請求項８】  それぞれのミキサアレイは、ミキサのマルチステージを有し、
各ステージが少なくとも一の２入力ミキサを有しており、
前記マルチステージの第１ステージはＲＦ信号およびＮ相クロック信号を入力する請求項６記載の通信システム。
【請求項９】  前記マルチステージはミキサの数がＫ１＞Ｋ２＞Ｋ３＞．．．．．＞Ｋｉ（ここでＫ１は第１ステージ、Ｋ２は第２ステージ、Ｋ３は第３ステージ、Ｋｉは第ｉステージ）に減少する請求項８記載の通信システム。
【請求項１０】  キャリア周波数を有する選択された信号を含め、信号を受信する工程と、
それぞれがキャリア信号と異なる実質的に同一の周波数を有する２つより多い多相クロック信号であって、該周波数よりも高い第２周波数を有する複数のローカルオシレータ信号を生成するよう結合される多相クロック信号を生成する工程と、
キャリア周波数から低減された周波数を有する復調された前記選択信号を出力するように、前記受信されたキャリア周波数選択信号を前記２つより多い多相クロック信号と合成する工程であって、これにより、前記２つより多い多相クロック信号から結合された前記ローカルオシレータ信号の対応する信号が第１キャリア周波数信号および第２キャリア周波数信号の１つを復調する工程と、
を含むＲＦ通信システムの動作方法。
【請求項１１】  上記方法はさらに、
前記受信された選択信号をＲＦフィルタする工程と、
前記フィルタされた選択信号をゲインをもって増幅する工程と、
ベースバンドへ低減された周波数を有する復調された選択信号をローパスフィルタする工程と、
前記ローパスフィルタされて周波数を低減された選択信号をデジタル信号にＡ／Ｄ変換する工程と、
前記デジタル信号を離散時間信号処理する工程を含む請求項１０記載の方法。
【請求項１２】  上記方法はさらに、
送信データを変調するように前記ローカルオシレータ信号として結合された前記多相クロック信号を送信データと変調合成する工程と、
前記変調された送信データをパワー増幅し、データを送信用のトランシーバへ転送する工程を含む請求項１０記載の方法。
【請求項１３】  基準周波数を有する基準信号を受信するクロック生成器であって、異なった位相を有する第１クロック信号で、それぞれが前記基準周波数よりも低い第１周波数を有する複数の第１クロック信号を生成するクロック生成器と、
より高い第２周波数を有する複数のローカルオシレータ信号を生成するように、前記複数の第１クロック信号を受信するため前記クロック生成器に接続されたミキサであって、出力信号を出力ターミナルで供給するように前記複数のローカルオシレータ信号を入力信号と乗算するミキサを有する回路。
【請求項１４】  前記クロック生成器は、異なる位相を有する前記複数の第１クロック信号を供給するために、直列に接続された複数の遅延セルを有する請求項１３記載の回路。
【請求項１５】  前記ミキサは、
入力信号を受信し、出力信号を供給するための差動増幅回路と、
前記差動増幅回路に接続され、前記クロック生成器からの前記複数の第１クロック信号を受信し、前記ローカルオシレータ信号を出力するための結合回路を有する請求項１３記載の回路。
【請求項１６】  前記差動増幅回路は、
第１のポテンシャルを受信するために接続された少なくとも一のロードレジスタと、
前記ロードレジスタの一および前記結合回路と接続された少なくとも一の差動増幅器とを有する請求項１５記載の回路。
【請求項１７】  前記結合回路は、
対応する第１ローカルオシレータ信号を出力するように前記差動増幅回路と接続され、対応する第１クロック信号を受信するための第１結合ユニットと、
対応する第２ローカルオシレータ信号を出力するように前記差動増幅回路と接続され、対応する第１クロック信号を受信するための第２結合ユニットと、
前記第１および第２結合ユニットと接続され、第２ポテンシャルを受信するために接続された電流源を有する請求項１５記載の回路。
【請求項１８】  前記回路はさらに、
前記第１および第２結合ユニットと前記差動増幅回路との間にそれぞれ接続された第１および第２バイアストランジスタを有し、
各第１および第２結合ユニットは直列または並列のいずれかに互いに接続された複数のトランジスタユニットを有する請求項１７記載の回路。